(57)【特許請求の範囲】
【請求項１】
交流電流を供給する外部電源に接続される熱源機本体と、
インバータを介して接続線で前記熱源機本体に接続されており、直流電流で作動する、前記熱源機本体に作動を指令するためのリモコン装置と、を備えるガス熱源機において、
直流電流を供給する補助電源を着脱自在に接続するための接続端子を前記リモコン装置に備え、
前記外部電源から前記熱源機本体及び前記インバータを経て前記リモコン装置に電力が供給されて運転される第１運転状態と、前記接続端子に接続された補助電源から前記リモコン装置及び前記熱源機本体に電力が供給されて運転される第２運転状態と、に切換可能に構成され、
外部からの切換指令に基づいて、前記第１運転状態と前記第２運転状態との間で運転状態を切換える切換手段を備えるガス熱源機。
【請求項２】
前記外部電源から電力の供給を受けることが可能な受電状態で、前記第１運転状態で運転され、前記外部電源からの電力の供給が遮断された遮断状態で、前記第２運転状態で運転される請求項１記載のガス熱源機。
【請求項３】
前記熱源機本体内の機器の始動に伴う前記補助電源からの突入電流を緩和する緩和手段を前記接続線に備える請求項１又は２に記載のガス熱源機。
【請求項４】
前記第２運転状態において、前記熱源機本体を、消費電力を抑えた省電力モードで作動させる請求項１〜３の何れか一項記載のガス熱源機。
【発明の詳細な説明】
【技術分野】
【０００１】
本発明は、外部電源に接続される熱源機本体と、インバータを介して接続線で前記熱源機本体に接続されており、直流電流で作動する、前記熱源機本体に作動を指令するためのリモコン装置と、を備えるガス熱源機に関する。
【背景技術】
【０００２】
ライフラインの安定性向上の観点から、ガス利用機器は、停電等の非常時には、乾電池や車のバッテリー等の非常電源により運転できることが望ましい。そこで、従来技術において、通常時には商用電源から、非常時には補助電源から、電力供給を受けて作動するガスコンロが発明されている（例えば特許文献１参照）。例えば特許文献１のガスコンロは、停電時には乾電池式の補助電源から電力の供給を受けて作動するように構成されている。
【先行技術文献】
【特許文献】
【０００３】
【特許文献１】特開２００８−８５３６号公報
【発明の概要】
【発明が解決しようとする課題】
【０００４】
しかし、特許文献１のように補助電源を乾電池とする構成は、消費電力が小さいコンロには適用可能であっても、消費電力が大きいガス熱源機には適用が難しい。ガス熱源機は、例えば交流１００Ｖの安定した商用電源から電力の供給を受けて運転することを前提として設計されていることから、容量や電圧が不十分な乾電池や車のバッテリー等の直流電流を供給する補助電源で作動させるためには、補助電源とガス熱源機との間に、補助電源から与えられる直流電流を交流電流に変換するインバータを介することが必要となる。
即ち、例えば直流１２Ｖの車のバッテリーからシガーソケットを通じて電力を得る場合において、シガーソケットをガス熱源機に直接接続することはできず、インバータを介して交流１００Ｖの電流に変換した上で接続する必要がある。このように、補助電源である車のバッテリーとガス熱源機とを接続するためにインバータを介する必要が生じるため、従来のガス熱源機では、直流電流を供給する補助電源から電力を得るための構成が複雑となる。
このように、従来のガス熱源機では、商用電源から電力供給を受けられない場合には、インバータを介して直流電流を交流電流に変換した上で電力供給を受ける必要があるにも関わらず、その一方で、燃焼用ファンや循環ポンプに代表されるように、ガス熱源機内のアクチュエータには直流電流で作動するものが多い。
また、インバータにより直流電流を交流電流に変換した場合でも、変換された電流の波形にいわゆる尖りやノイズ等の矩形を生じることがある。そして、このような電流波形の乱れによりガス熱源機を構成する電子部品が破損され、ガス熱源機の寿命を縮める恐れがある。
【０００５】
さらに、本願が対象とするガス熱源機では、ガス熱源機は、例えば各家庭の外壁に設置される熱源機本体と台所、風呂場等に設置されるリモコン装置とを備えて構成されているが、両者間を電気的に接続する接続線は壁内に収められているため、外部に露出している機器は、実質上、両機器に限られる。
【０００６】
本発明は上記の課題に鑑みてなされたものであり、その目的は、外部的なインバータの接続を必要とすることなく、使用者が容易に直流電流を供給する補助電源を直接接続して作動が可能なガス熱源機を提供する点にある。
【課題を解決するための手段】
【０００７】
上記目的を達成するための本発明に係るガス熱源機は、
交流電流を供給する外部電源に接続される熱源機本体と、
インバータを介して接続線で前記熱源機本体に接続されており、直流電流で作動する、前記熱源機本体に作動を指令するためのリモコン装置と、を備えるガス熱源機であって、その第１特徴構成は、
直流電流を供給する補助電源を着脱自在に接続するための接続端子を前記リモコン装置に備え、
前記外部電源から前記熱源機本体及び前記インバータを経て前記リモコン装置に電力が供給されて運転される第１運転状態と、前記接続端子に接続された補助電源から前記リモコン装置及び前記熱源機本体に電力が供給されて運転される第２運転状態と、に切換可能に構成され、
外部からの切換指令に基づいて、前記第１運転状態と前記第２運転状態との間で運転状態を切換える切換手段を備える点にある。
【０００８】
上記の特徴構成によれば、通常時のように、商用電源や自家発電等で構成される交流電流を供給する外部電源から電力供給を受けてガス熱源機を運転させる場合は、第１運転状態として、熱源機本体に外部電源を接続し、熱源機本体を外部電源からの電流で作動させる。
また、熱源機本体に作動を指令するリモコン装置は、インバータを介して接続線で熱源機本体に接続されている。そして、第１運転状態では、外部電源から熱源機本体に供給された交流電流を、インバータにより直流電流に変換した上で、リモコン装置に供給する。リモコン装置は、このようにして供給される直流電流によって作動する。
【０００９】
一方、停電等の非常時のように、商用電源等の外部電源から電力の供給を受けることができない場合は、第２運転状態として、外部に露出している機器であるリモコン装置に設けられた接続端子に直流電流を供給する補助電源を接続してガス熱源機を作動させる。
第２運転状態では、リモコン装置は、接続端子に接続された補助電源から供給される直流電流によって作動する。そして、補助電源からの直流電流は、接続線を通じて熱源機本体に供給される。燃焼用ファンや循環ポンプに代表されるように、熱源機本体内のアクチュエータは直流電流で作動するものが多いため、このようなアクチュエータに対しては、補助電源から供給される直流電流を必要に応じて昇圧或いは降圧させながら、直接駆動電流として供給する。一方、交流電流で作動するものに対しては、補助電源から供給される直流電流を、インバータにより交流電流に変換した上で、駆動電流として供給する。
即ち、第２運転状態では、補助電源からリモコン装置に供給された直流電流を、昇圧或いは降圧させて直接駆動電流として、或いは、インバータにより交流電流に変換した上で、熱源機本体内の各アクチュエータに供給する。熱源機本体は、このようにして補助電源から供給される直流電流によって作動する。
このように、本発明に係るガス熱源機は、停電等の非常時のように外部電源から交流電流の供給を受けることができない場合は、ガス熱源機の運転状態を第２運転状態に切り換えることで、補助電源から直流電流の供給を受けて、熱源機本体及びリモコン装置を作動させることができる。
【００１０】
以上のように、本発明に係るガス熱源機によれば、直流電流を供給する補助電源から電力供給を受ける場合でも、必要に応じてガス熱源機に備えられたインバータにより電流を直流電流から交流電流に変換した上で熱源機本体内の各アクチュエータに供給する構成であるため、直流電流を供給する補助電源とガス熱源機とを直接接続することができる。これにより、外部的なインバータの接続を必要とすることなく、外部に露出している機器であるリモコン装置に設けられた接続端子を通じて、使用者が容易に直流電流を供給する補助電源に直接接続して作動可能なガス熱源機を提供することができる。
また、上記の特徴構成によれば、外部からの切換指令に基づいて、第１運転状態と第２運転状態との間で運転状態を切換えることができる。これにより、電力の供給状況だけでなく、管理者の意図に基づいて電源を切換えて作動させることが可能なガス熱源機を提供できる。切換指令は、例えばリモコン装置に配置される電源切換スイッチから入力される。
【００１１】
本発明に係るガス熱源機の第２特徴構成は、前記第１特徴構成において、前記外部電源から電力の供給を受けることが可能な受電状態で、前記第１運転状態で運転され、前記外部電源からの電力の供給が遮断された遮断状態で、前記第２運転状態で運転される点にある。
【００１２】
上記の特徴構成によれば、商用電源等の外部電源から電力の供給を受けることが可能な受電状態（通常時）では外部電源から電力の供給を受ける第１運転状態で、停電等により外部電源からの電力の供給が遮断された遮断状態（非常時）では補助電源から電力供給を受ける第２運転状態で、ガス熱源機が運転される。
これにより、受電状態（通常時）には電気容量の大きい商用電源を電源とし、商用電源から電力供給を受けることができない遮断状態（非常時）にのみ、補助電源を電源として稼動するガス熱源機を提供することができる。即ち、電力の供給状態に応じて適切な電源を選択して作動するガス熱源機を提供することができる。
【００１５】
本発明に係るガス熱源機の第４特徴構成は、前記第１〜第３特徴構成のいずれかにおいて、前記接続線に、前記熱源機本体内の機器の始動に伴う、前記補助電源からの突入電流を緩和する緩和手段を備える点にある。
【００１６】
上記の特徴構成によれば、接続線に補助電源からの突入電流を緩和する緩和手段を備えるため、突入電流が大きい送風ファン等の熱源機本体内の機器の始動に伴い、変換された電流の波形にいわゆる尖りやノイズ等の矩形を生じた場合でも、突入電流に起因するブレーカの切断や電源電圧の不安定化等の悪影響を抑えることができる。このような緩和手段として、例えばバイパスコンデンサやタイムラグヒューズを採用することができる。
【００１７】
本発明に係るガス熱源機の第５特徴構成は、前記第１〜第４特徴構成のいずれかにおいて、前記第２運転状態において、前記熱源機本体を、消費電力を抑えた省電力モードで作動させる点にある。
【００１８】
上記の特徴構成によれば、補助電源から電力供給を受ける第２運転状態において、熱源機本体を、消費電力を抑えた省電力モードで作動させる。従って、電気容量が小さい補助電源から電力を供給する第２運転状態において、ガス熱源機をより長時間作動させることが可能となる。
【図面の簡単な説明】
【００１９】
【図１】ガス熱源機の構成図
【図２】ガス熱源機本体の構成図
【図３】通常時（受電状態）のガス熱源機における電力供給の様子を示す図
【図４】非常時（遮断状態）のガス熱源機における電力供給の様子を示す図
【図５】燃料ガス供給量と送風ファン回転数の関係を示すグラフ図
【図６】省電力モードにおける燃料ガス供給量と送風ファン回転数の関係を示すグラフ図
【発明を実施するための形態】
【００２０】
ガス熱源機の参考形態を図面に基づいて説明する。図１は、参考形態に係るガス熱源機１の構成図である。
【００２１】
〔ガス熱源機の構成〕
図１に示すように、ガス熱源機１は、交流電流を供給する外部電源に接続される熱源機本体２と、インバータ４を介して接続線６で熱源機本体２に接続されており、直流電流で作動する、熱源機本体２に作動を指令するためのリモコン装置３と、を備える。図１では、外部電源として、１００Ｖの電圧で交流電流を供給する商用電源８が熱源機本体２に接続されている。
【００２２】
リモコン装置３は、給湯水の目標温度を設定可能なコントローラとして作動する。ガス熱源機１は、リモコン装置３で設定された給湯水の目標温度に基づいて、加熱部１１を構成するガスバーナ１３への燃料ガス供給量及び送風ファン１４の回転数を制御する制御部１０を備えている。図１に示すガス熱源機１では、リモコン装置３として、台所ａ、浴室ｂ、居間ｃの夫々に、台所用リモコン３ａ、浴室用リモコン３ｂ、床暖房用リモコン３ｃが設置され、接続線６（６ａ、６ｂ、６ｃ）を介して、熱源機本体２に接続されている。
なお、接続線６は、通常時に熱源機本体２からリモコン装置３への電力供給と、リモコン装置３と熱源機本体２との通信とを行っている２芯線であり、非常時には、リモコン装置３から熱源機本体２への電力供給を行うための専用線とすることができる。
【００２３】
ガス熱源機１は、直流電流を供給する補助電源を着脱自在に接続するための接続端子５を、外部に露出している機器であるリモコン装置３に備えている。図１では、台所ａ、浴室ｂ、居間ｃに設置されたリモコン装置３（台所用リモコン３ａ、浴室用リモコン３ｂ、床暖房用リモコン３ｃ）の夫々に接続端子５（５ａ、５ｂ、５ｃ）が備えられている。そして、補助電源として車のバッテリー９が、台所用リモコン３ａに備えられた接続端子５ａを通じて、使用者によりガス熱源機１に容易に接続可能に構成されている。
図１は、車のバッテリー９を実際に接続した状態を示しており、停電等の理由により、商用電源８から熱源機本体２への電力供給が断たれた状況では、補助電源である車のバッテリー９からの電力供給に頼ることとなる。
【００２４】
また、図１において、ガス熱源機１は、熱源機本体２内の機器の始動に伴う補助電源からの突入電流を緩和する緩和手段であるバイパスコンデンサ７を、接続端子５と熱源機本体２との間の接続線６に備えている。これにより、突入電流が大きい送風ファン等の熱源機本体内の機器の始動に伴い、変換された電流の波形にいわゆる尖りやノイズ等の矩形を生じた場合でも、突入電流に起因するブレーカの切断や電源電圧の不安定化等の悪影響を抑え、安定した電力を供給することができる。
【００２５】
〔熱源機本体の構成〕
図２に熱源機本体２の構成を示す。図２に示す熱源機本体２は、加熱部１１として、新たな湯水を供給するために、給水された水を加熱して湯水として供給する給湯系２Ｘの加熱部１１Ｘと、高低温暖房及び追焚きのために、暖房タンク３１や浴槽４２に貯蔵された湯水を循環させ、加熱して還流させる循環系２Ｙの加熱部１１Ｙとを備える、いわゆる２缶３水路方式の熱源機である。
【００２６】
〔給湯系〕
熱源機本体２は、給湯系２Ｘに、上流から供給される水を加熱部１１Ｘで加熱し、湯水として下流の給湯水栓２５に供給する給湯水管２１と、給湯水管２１を通流する水を加熱する熱交換器１２Ｘ及びガスバーナ１３Ｘからなる加熱部１１Ｘと、加熱部１１Ｘに送風する送風ファン１４Ｘと、を備えている。図２では、給湯水栓２５として、台所ａの蛇口２５ａと浴室ｂのシャワー２５ｂとを備えている。本例では、ガスバーナ１３Ｘは、個々に燃料ガスの供給・遮断が可能な複数のバーナ部（図示省略）を備えて構成されるものであり、各バーナ部からの燃料ガスの供給状態を調整することで、燃焼段として、そのインプット量（燃料ガスの供給量）が段階的に異なる複数の燃料段（燃焼状態）が実現する。
【００２７】
給湯系２Ｘでは、加熱部１１Ｘをバイパスするバイパス管２３が、加熱部１１Ｘの上流でバイパス管２３に通流させる水の流量を調整するミキシング弁２２を介して分流するように、且つ、加熱部１１Ｘの下流で合流するように、給湯水管２１に接続されている。また、給湯水管２１とバイパス管２３との合流箇所の下流に、給湯量を調整する水量サーボ２４を備えている。また、給湯水栓２５の上流に、給湯水栓２５に供給される湯水の流量を計測する流量計２６ａ及び温度を計測する温度計２６ｂが設けられており、流量計２６ａ及び温度計２６ｂで測定された温度は、制御部１０に伝達される。
【００２８】
〔給湯系：加熱量の調整による給湯温度の調整〕
給湯系２Ｘでは、リモコン装置３で設定された給湯水の目標温度に基づいて、給湯水管２１を通流する湯水を加熱部１１Ｘで加熱し、給湯水栓２５に給湯する。具体的には、制御部１０が、リモコン装置３で設定された目標温度及び流量計２６ａで計測される湯水の量、温度計２６ｂで計測される湯水の温度に基づいて、ガスバーナ１３Ｘへの燃料ガス供給量及び燃料ガス供給量に対応する燃焼用空気量（実際はファン回転数）を調整することで、加熱部１１Ｘにおける加熱量を調整し、給湯水栓２５に供給される湯水の温度を調整する。
【００２９】
即ち、制御部１０は、温度計２６ｂで測定される給湯温度がリモコン装置３で設定された給湯水の目標温度に比べて低い場合は、給湯温度を上げるため、加熱部１１Ｘにおける加熱量を増加させるべく、ガスバーナ１３Ｘへの燃料ガス供給量を増加させる。また、ガスバーナ１３Ｘへの燃料ガス供給量に対応するように送風ファン１４Ｘの回転数を制御する。
一方、温度計２６ｂで測定される給湯温度がリモコン装置３で設定された目標温度に比べて高い場合は、給湯温度を下げるため、加熱部１１Ｘにおける加熱量を減少させるべく、ガスバーナ１３Ｘへの燃料ガス供給量を減少させる。また、ガスバーナ１３Ｘへの燃料ガス供給量の減少に対応するように送風ファン１４Ｘの回転数を制御する。
このように、制御部１０は、温度計２６ｂで測定される給湯温度と、リモコン装置３で設定された目標温度とに基づいて、ガスバーナ１３Ｘへの燃料ガス供給量及び送風ファン１４Ｘの回転数を制御して、給湯水栓２５に供給される湯水の給湯温度を調整する。
【００３０】
このような燃料ガス供給量と送風ファン１４Ｘの回転数の関係を、図５に示す。図５は、ガスバーナ１３Ｘが複数（図示する場合は４）のバーナ部から構成されており、使用するバーナ部の数を変更することで、複数段のインプット調整が可能な例を示している。図５において、Ａで示す１段インプットラインが単一のバーナ部を使用するラインであり、Ｂで示す２段インプットラインが２つのバーナ部を使用するラインである。使用するバーナ部の数が増加するに従って、燃料ガス供給量を段階的に増加させることができる。
さらに、各段内で、使用するバーナ部に供給する燃料ガス供給量も所定の範囲内で調整することができる。
【００３１】
また、ガスバーナに供給する燃料ガス供給量に従って、バーナにおける燃焼を最適な状態に保つように、その供給量に対応した燃焼用空気の供給量（換言すると送風ファン１４Ｘの回転数）が予め決定されている。
これらが、図５に各実線で示すインプットラインである。
【００３２】
なお、詳細な説明は省略するが、複数の需要箇所に設置した夫々の給湯水栓２５（台所ａの蛇口２５ａ、浴室ｂのシャワー２５ｂ、等）において、上記した給湯系２Ｘから供給される給湯水と、上記で説明していない別の給水系から供給される水とを、例えば給湯系２Ｘの下流で混合可能に構成することで、夫々の給湯水栓２５毎に、同時に、且つ、異なる給湯温度及び異なる給湯水量で、湯水を使用可能に構成することができる。
【００３３】
〔給湯系：混合割合の調整による給湯温度の調整〕
制御部１０は、交流電源からの電力供給が正常に行われている第１運転状態では、カラン等の調整により決定される給湯量に従って、リモコン装置３で設定される目標温度でその給湯量の湯を得られるように、図５に示されるインプットラインを選択し、燃料ガス供給量及び送風ファン１４Ｘの回転数を制御する。さらに、ミキシング弁２２の作動も制御する。
一方、後述する交流電源からの電力供給が断たれ、リモコン装置３を介して制限された電力量の直流電力しか得られない第２運転状態では、上記のガスバーナ１３Ｘへの燃料ガス供給量及び送風ファン１４Ｘの回転数、及び、ミキシング弁２２の作動を限定した制御状態とする。このような限定された制御状態では、先に説明した水量サーボ２４の作動を制御することで、給湯温度をある程度調整できる。
【００３４】
上記の第２運転状態では、制御部１０は、温度計２６ｂで測定される給湯温度がリモコン装置３で設定された給湯水の目標温度に比べて低い場合は、給湯温度を上昇させるべく、加熱部１１Ｘに通流させる水量を減少させ、給湯水栓２５における湯水の給湯温度を上昇させることができる。
【００３５】
一方、制御部１０は、温度計２６ｂで測定される給湯温度がリモコン装置３で設定された給湯水の目標温度に比べて高い場合は、給湯温度を低下させるべく、加熱部１１Ｘに通流させる水量を増加させ、給湯水栓２５における湯水の給湯温度を低下させることができる。
【００３６】
このように、上記構成によれば、制御部１０は、第１運転状態及び第２運転状態の夫々に対応した運転を行うことができる。
【００３７】
〔循環系〕
循環系２Ｙは、暖房或いは追焚に使用される熱媒を貯蔵する暖房タンク３１と、暖房タンク３１に貯蔵された熱媒を送出する暖房循環ポンプ３２と、暖房循環ポンプ３２により暖房タンク３１から送出された熱媒を加熱し、暖房或いは追焚のための熱量を与える加熱部１１Ｙと、暖房タンク３１と加熱部１１Ｙとを接続する熱媒往管３３と、加熱部１１Ｙで加熱された熱媒を高温暖房設備４１に供給する高温往管３４と、高温暖房設備で放熱し、温度の低下した熱媒を暖房タンク３１に戻す熱媒戻管３５とを備える。
このような構成により、循環系２Ｙでは、暖房タンク３１に貯蔵された熱媒を、加熱部１１Ｙで加熱して高温の熱媒とし、高温暖房に利用することができる。即ち、暖房タンク３１に貯蔵された熱媒を、熱媒往管３３、加熱部１１Ｙ、高温往管３４、高温暖房設備４１、熱媒戻管３５、暖房タンク３１、と循環させて、高温暖房に利用することができる。
なお、循環系の加熱部１１Ｙも、給湯系の加熱部１１Ｘと同様に、熱交換器１２Ｙ、ガスバーナ１３Ｙ、送風ファン１４Ｙとを備えて構成されている。高温暖房設備４１として、例えば、浴室乾燥暖房装置やファンコンベクター等が考えられる。
【００３８】
また、循環系２Ｙでは、低温暖房設備４３に熱媒を供給すべく、暖房タンク３１から送出された熱媒を低温暖房設備４３に供給する低温往管３６が、暖房タンク３１と加熱部１１Ｙとの間で熱媒往管３３から分岐して、低温暖房設備４３に連接されている。そして、低温暖房設備４３で使用され、放熱により温度の低下した熱媒は、熱媒戻管３５を通流して暖房タンク３１に戻るように構成される。
このような構成により、循環系２Ｙでは、暖房タンク３１に貯蔵された熱媒が持つ熱量を、低温暖房に利用することができる。即ち、暖房タンク３１に貯蔵された熱媒を、熱媒往管３３、低温往管３６、低温暖房設備４３、熱媒戻管３５、暖房タンク３１と循環させて、低温暖房に利用することができる。
低温暖房設備４３として、例えば、床暖房装置やパネルラジエータ等が考えられる。
【００３９】
さらに、循環系２Ｙは、高温往管３４から分岐し、熱媒戻管３５に連接された高温バイパス管３７と、高温バイパス管３７を通流する熱媒の熱量により追焚される湯水を通流させる追焚循環管３８と、追焚循環管３８に湯水を循環させるための追焚循環ポンプ３９と、高温バイパス管３７を通流する熱媒の熱量により追焚循環管３８を循環する湯水を追焚するための追焚熱交換部４０とを備える。
このような構成により、循環系２Ｙでは、加熱部１１Ｙで加熱され、高温となった熱媒の一部を追焚に利用することができる。また、追焚に利用し温度が低下した熱媒を、熱媒戻管３５を通じて暖房タンク３１に戻らせ、暖房或いは追焚のために再利用することができる。
【００４０】
〔電力供給の構成〕
ガス熱源機１は、外部電源から熱源機本体２及びインバータ４を経てリモコン装置３に電力が供給されて運転される第１運転状態と、接続端子５に接続された補助電源からリモコン装置３及び熱源機本体２に電力が供給されて運転される第２運転状態と、に切換可能に構成されている。
【００４１】
ガス熱源機１は、外部電源からの電力供給の有無に基づいて第１運転状態と第２運転状態とを切換える。具体的には、ガス熱源機１は、外部電源から電力の供給を受けることが可能な受電状態では第１運転状態で運転され、外部電源からの電力の供給が遮断された遮断状態では第２運転状態で運転される。即ち、ガス熱源機１は、受電状態（通常時）では商用電源８から、遮断状態（非常時）では補助電源であるバッテリー９から、電力の供給を受けて給湯作動する。このような構成により、ガス熱源機１は、状況に応じた好適な電源から電力供給を受けて運転される。
【００４２】
なお、詳細な説明は省略するが、このような第１運転状態と第２運転状態との切換制御は、例えば、外部電源或いは補助電源からの電力供給の有無を計測する計測機器と、当該計測機器による計測結果を受信して、当該計測結果に応じて回路接続の切換制御を行う制御部で構成することができる。以下では、ガス熱源機１が、このような構成で制御されるものとして説明する。
【００４３】
〔第１運転状態における電力供給の構成〕
図３に、交流電源である商用電源８から電力供給を受けて作動する第１運転状態（受電状態）における電力供給の構成を示す。
制御部１０は、計測機器（図示省略）の計測結果から、ガス熱源機１への電力の供給状態が商用電源８（外部電源の一例）から電力の供給を受けることが可能な受電状態であることを検知すると、ガス熱源機１の運転状態を第１運転状態とし、商用電源８を熱源機本体２に接続する。これにより、熱源機本体２内の送風ファン等の機器は、交流電源である商用電源８から電力供給を受けて作動する。
【００４４】
一方、第１運転状態において、リモコン装置３は、接続線６を通じて、熱源機本体２を介して商用電源８から電力供給を受ける。リモコン装置３は直流電流で作動するため、この場合、リモコン装置３は、インバータ４を介して接続線６により熱源機本体２に接続される。このような構成により、ガス熱源機１は、商用電源８から供給された交流電流を、インバータ４により直流電流に変換した上で、リモコン装置３に供給することができる。これにより、ガス熱源機１は、交流電源である商用電源８からの電力供給を受けて、熱源機本体２及びリモコン装置３を作動させることができる。
【００４５】
〔第２運転状態における電力供給の構成〕
図４に、直流電源であるバッテリー９から電力供給を受けて作動する第２運転状態（遮断状態）における電力供給の構成を示す。
制御部１０は、計測機器（図示省略）の計測結果から、ガス熱源機１への電力の供給状態が商用電源８（外部電源の一例）からの電力の供給が遮断された遮断状態であることを検知すると、ガス熱源機１の運転状態を第２運転状態とし、バッテリー９を、リモコン装置３が備える接続端子５に接続する。これにより、直流電流で作動するリモコン装置３は、直流電源であるバッテリー９から電力供給を受けて作動する。
【００４６】
一方、第２運転状態において、熱源機本体２は、接続線６を通じて、リモコン装置３を介してバッテリー９から電力供給を受ける。ここで、熱源機本体２は、熱源機本体２内の機器の始動に伴う補助電源からの突入電流を緩和する緩和手段であるバイパスコンデンサ７を、接続端子５と熱源機本体２との間の接続線６に備えている。
このような構成により、ガス熱源機１は、バッテリー９から供給された直流電流について、送風ファン１４等の突入電流が大きい熱源機本体２内のアクチュエータによる影響をバイパスコンデンサ７で緩和して安定させた状態で、熱源機本体２に電力を供給することができる。これにより、ガス熱源機１は、直流電源であるバッテリー９からの電力供給を受けて、熱源機本体２及びリモコン装置３を作動させることができる。
【００４７】
〔第２運転状態における省電力モード〕
第２運転状態は外部電源から電力の供給が遮断された停電時等の遮断状態における運転状態であり、いわゆる非常時の運転状態である。このような第２運転状態では、ガス熱源機１は、消費電力を抑えた省電力モードで作動するように構成されている。
具体的には、ガス熱源機１は、補助電源から電力供給を受ける停電時には、省電力モードとして、制御部１０が、燃料ガス供給量を、送風ファン回転数が最小値となる供給量に制御するように構成されている。
【００４８】
先に説明したように、図５は、商用電源から電力供給を受ける通常時における燃料ガス供給量Ｇと送風ファン回転数Ｎとの関係を表す、各燃焼段におけるインプットラインを示している。
通常時である第１運転状態では、充分な電力供給を受けることが可能であるため、各インプットライン上の任意の点で運転することが可能である。即ち、求められる給湯量の湯を、設定された目標温度で、給湯することができる。
これに対して、非常時である第２運転状態では、制限された電力供給しか受けることができないため、夫々のインプットライン上において、電力消費量が小さい特定の範囲又は点での運転に制限する。これにより、得ることが可能な電力量の範囲で実現可能な給湯を行う。
【００４９】
図５に基づいて説明する。通常時である第１運転状態では、使用者がリモコン装置３により目標温度をＴAに設定すると、制御部１０は、給湯量、給湯温度及び内部的に保持する対応表（図示省略）に基づいて、燃料ガス供給量をＧA、送風ファン回転数をＮAに決定する。
【００５０】
図５において、一の燃料ガス供給量Ｇに対して２つの送風ファン回転数Ｎを示すインプットラインが存在する範囲では、直近に採用していたインプットラインに基づいて、送風ファン回転数Ｎを決定する。
例えば、一の燃料ガス供給量Ｇに対して２つの送風ファン回転数Ｎを示すインプットラインが存在する範囲（ｉｉ）について、低温から高温への変更により範囲（ｉｉ）に属することとなった場合は、範囲（ｉ）において採用していたインプットラインＡに基づいて送風ファン回転数Ｎを決定する。そして、範囲（ｉｉｉ）の温度となった場合に、インプットラインＢに基づいて送風ファン回転数Ｎを決定する。
また、高温から低温への変更により範囲（ｉｉ）に属することとなった場合は、範囲（ｉｉｉ）において採用していたインプットラインＢに基づいて送風ファン回転数Ｎを決定する。そして、範囲（ｉ）の温度となった場合に、インプットラインＡに基づいて送風ファン回転数Ｎを決定する。
【００５１】
一方、停電時等のいわゆる非常時である第２運転状態では、ガス熱源機１は消費電力を抑える省電力モードで作動し、送風ファン回転数Ｎを抑えるように制御される。即ち、バッテリー９等の補助電源から電力の供給を受ける第２運転状態では、例えば制御部１０が、燃料ガス供給量Ｇを、送風ファン回転数Ｎを極小値Ｎｍｉｎとする供給量Ｇｍｉｎに設定すると伴に、ミキシング弁２２及び水量サーボ２４の作動を制御して、給湯温度及び給湯水量を制御する。この場合、給湯温度を給湯水量に優先する。
なお、ミキシング弁２２及び水量サーボ２４の作動の制御による給湯温度の調整方法は先述の通りである。また、先は給湯系２Ｘについて説明したが、循環系２Ｙも同様に構成することができる。
【００５２】
制御部１０は、以上のように、燃料ガス供給量Ｇ及び送風ファン回転数Ｎを制御すると伴に、温度計２６ｂで測定される給湯温度とリモコン装置３で設定された目標温度とに基づいてミキシング弁２２の作動を制御することで、高温の湯水と低温の水の混合比率を調整し、給湯温度を目標温度に調整する。また、水量サーボ２４の作動を制御して、給湯水量を制御する。
ガス熱源機１は、このようにして、省電力モードにおいて、送風ファン回転数Ｎを最小限に抑え、消費電力を最小限に抑えながら、使用者の所望する目標温度の湯水を、使用者の所望する給湯水量で供給する。
【００５３】
〔第２運転状態における容量切れの報知〕
第２運転状態において、補助電源であるバッテリー９からの供給電圧が所定値以下に低下した場合は、制御部１０は、リモコン装置３に警告表示を行ない、ガスバーナを停止し、水量サーボ２４により給湯水量を制限するように作動を制御する。このように、ガス熱源機１は、リモコン装置３への警告表示と水量サーボ２４による給湯量制限により、使用者にバッテリー９の容量切れを報知する。
【００５４】
〔実施形態〕
上記参考形態では、計測機器の計測結果（外部電源からの電力供給の有無）に基づいて、制御部が第１運転状態と第２運転状態とを切換える構成を例示した。本実施形態では、制御部による切換制御によることなく、或いは、制御部による切換制御と並行して、外部からの切換指令に基づいて第１運転状態と第２運転状態との間で運転状態を切換える切換手段を備える構成とする。
切換手段は、例えばリモコン装置に電源切換スイッチを備え、当該電源切換スイッチの切換えに基づいて、第１運転状態と第２運転状態とを切換える構成としてもよい。或いは、リモコン装置とは別に、電源を切換える電源切換スイッチをガス熱源機に備え、当該電源切換スイッチの切換えにより、第１運転状態と第２運転状態とを切換える構成としてもよい。
このような構成により、外部電源からの電力供給状態に依ることなく、或いは、外部電源からの電力供給状態に基づく電源の切換制御と並行して、使用者が切換手段から切換を指令することで、運転状態（電源）を柔軟に切換えることが可能なガス熱源機を提供することができる。
【００５５】
〔別実施形態〕
（１）上記参考形態又は上記実施形態では、台所用リモコン３ａ、浴室用リモコン３ｂ、床暖房用リモコン３ｃとして、台所ａ、浴室ｂ、居間ｃの夫々にリモコン装置３が設置され、複数のリモコン装置３が熱源機本体２に接続される構成を例示したが、当該構成は例示に過ぎない。別実施形態として、例えば、リモコン装置は１つだけでもよく、台所ａ、浴室ｂ、居間ｃのいずれかにのみ設置される構成としてもよい。また、リモコン装置は、台所ａ、浴室ｂ、居間ｃ以外の場所に設置されていてもよく、４台以上のリモコン装置が熱源機本体に接続される構成としてもよい。
【００５６】
（２）上記参考形態又は上記実施形態では、燃料ガス供給量Ｇを、使用者が設定した目標温度と、制御部が内部的に保持される対応表とに基づいて決定する構成を例示したが、当該構成は例示に過ぎない。別実施形態として、目標温度と所定の数式とに基づいて決定する構成としてもよい。或いは、制御部が、使用者が設定した目標温度と、給湯水栓の上流に設けられた温度計で計測される給湯温度とを比較して、燃料ガス供給量Ｇを増減させる構成としてもよい。
【００５７】
（３）上記参考形態又は上記実施形態では、省電力モードにおいて、図５に基づいて、燃料ガス供給量Ｇを、送風ファン回転数Ｎを極小値Ｎｍｉｎに抑える供給量Ｇｍｉｎに制御する構成を例示したが、当該構成は例示に過ぎない。別実施形態として、図６に示すように、省電力モードにおいて、採用できるインプットライン上の範囲を電力消費が小さいｇ１、ｇ２、ｇ３、ｇ４の範囲（ファン回転数をＮｅ以下に抑える範囲）として、燃料ガス供給量Ｇ及び送風ファン回転数Ｎをその範囲内に抑え、できる限りの範囲で湯温を目標温度に近づけるように制御する構成としてもよい。なお、送風ファン回転数Ｎの上限Ｎｅは、例えば、第２運転状態において得ることが可能な電力量（例えば補助電源から供給される電力量）に基づいて設定される構成とすることができる。
また、省電力モードにおいて、リモコン装置の表示を限定したり、或いは、リモコン装置の輝度を落とすことで消費電力を抑える構成としてもよく、更には、これらを組合せる構成としてもよい。
【００５８】
（４）上記参考形態又は上記実施形態では、第２運転状態において、補助電源であるバッテリーからの供給電圧が所定値以下に低下した場合には、リモコン装置への警告表示と水量サーボによる給湯水量制限により、使用者にバッテリーの容量切れを報知する構成を例示したが、当該構成は例示に過ぎない。別実施形態として、リモコン装置への警告表示、水量サーボによる給湯水量制限、の何れか一方により使用者に報知する構成としてもよい。
【符号の説明】
【００５９】
１    ガス熱源機
２    熱源機本体
３、３ａ、３ｂ  コントローラ（リモコン装置）
４    インバータ
５    接続端子
６    接続線
７    緩和手段（バイパスコンデンサ）
８    外部電源（商用電源）
９    補助電源（バッテリー）
１０  制御部
【図１】
0005818584.tif 000002
【図２】
0005818584.tif 000003
【図３】
0005818584.tif 000004
【図４】
0005818584.tif 000005
【図５】
0005818584.tif 000006
【図６】
0005818584.tif 000007